(57)【特許請求の範囲】
【請求項１】
筐体と、
前記筐体に対して傾動可能に支持される軸部材と、
前記軸部材の一端を環囲し、前記軸部材に回転可能に支持され、押圧されることで前記軸部材と共に傾動する円筒状のダイヤルと、
前記軸部材の一端に固定される第１基板と、
前記第１基板と共に前記軸部材に固定される支持部材と、
前記支持部材に揺動可能に支持され、少なくとも一部が前記ダイヤルから露出し、押圧されることで前記第１基板に設けられているスイッチを押下するボタンと、を有する
ことを特徴とする操作装置。
【請求項２】
前記第１基板の前記軸部材側の面に設けられて前記ダイヤルの回転量及び回転方向を検出する回転検出手段を有する
ことを特徴とする請求項１に記載の操作装置。
【請求項３】
前記第１基板の前記軸部材側の面に設けられる光源と、
前記光源から照射される光を前記第１基板の前記軸部材とは反対側に導く導光部材と、を有する
ことを特徴とする請求項１又は２に記載の操作装置。
【請求項４】
筐体と、
前記筐体に対して傾動可能に支持される軸部材と、
前記軸部材の一端を環囲し、前記軸部材に回転可能に支持され、押圧されることで前記軸部材と共に傾動する円筒状のダイヤルと、
前記軸部材を第１方向に傾動可能に支持する傾動支持部材と、
前記筐体に固定され、前記傾動支持部材を前記第１方向に直交する第２方向に傾動可能に支持する軸支持部材と、を有する
ことを特徴とする操作装置。
【請求項５】
前記軸支持部材は、前記軸部材の傾動方向に沿って形成され、前記軸部材が挿入されるガイド溝を有する
ことを特徴とする請求項４に記載の操作装置。
【請求項６】
筐体と、
前記筐体に対して傾動可能に支持される軸部材と、
前記軸部材の一端を環囲し、前記軸部材に回転可能に支持され、押圧されることで前記軸部材と共に傾動する円筒状のダイヤルと、を有し、
前記軸部材は、外周面に環状に突出するフランジ部が形成された円筒状のダイヤル支持部を一端に有し、
前記ダイヤルは、前記フランジ部の前記軸部材の一端側の面に当接する円筒状のダイヤル本体と、前記ダイヤル支持部を環囲して前記フランジ部の前記軸部材の他端側の面に当接して前記ダイヤル本体に固定されるリング部材と、を有する
ことを特徴とする操作装置。
【請求項７】
前記軸部材は、軸方向に直交する方向に前記ダイヤル支持部を貫通する貫通孔を有し、
前記リング部材は、周方向に一定間隔で起伏する凹凸を内周面に有し、
両端部にそれぞれ設けられるプランジャチップ及び前記プランジャチップをそれぞれ前記リング部材に向かって押圧して前記内周面に当接させる押圧手段を備え、前記貫通孔に挿入されるプランジャを有する
ことを特徴とする請求項６に記載の操作装置。
【請求項８】
前記軸部材の一端に固定され、表示面が外部から見えるように前記ダイヤルの内部に収容される表示装置を有する
ことを特徴とする請求項１から７の何れか一項に記載の操作装置。
【請求項９】
前記筐体の内部に固定される第２基板と、
前記軸部材に固定され、前記軸部材と共に傾動したときに前記第２基板に設けられているスイッチを押下する傾動押下部材と、を有する
ことを特徴とする請求項１から８の何れか一項に記載の操作装置。
【請求項１０】
前記ダイヤルの操作に応じて発光、振動及び音声出力の少なくとも一つを行うフィードバック手段を有する
ことを特徴とする請求項１から９の何れか一項に記載の操作装置。
【発明の詳細な説明】
【技術分野】
【０００１】
本発明は、操作装置に関する。
【背景技術】
【０００２】
例えば自動車のインストルメンタルパネルには、空調等の各種操作を行うスイッチ装置が設けられる。このようなスイッチ装置として、４ＷＤ操作機能及び前照灯操作機能を有するダイヤルスイッチ、空調操作機能及びサイドミラー操作機能を有する操作スイッチ群、ダイヤルスイッチ及び操作スイッチ群の機能を切り替える機能切替スイッチ、フロントデフロスタスイッチ、リアデフロスタスイッチ、ハザードスイッチ及び表示部を含む多機能スイッチ装置が提案されている（例えば、特許文献１参照）。
【先行技術文献】
【特許文献】
【０００３】
【特許文献１】特開２００７−１６５２４６号公報
【発明の概要】
【発明が解決しようとする課題】
【０００４】
しかしながら、特許文献１に係る多機能スイッチ装置は、目的とする操作を行うためにダイヤルスイッチ及びスイッチ群を用いた煩雑な操作が必要になる可能性がある。また、ダイヤルスイッチ及び多数のスイッチを必要とするため、装置が大型化する可能性がある。装置が大型化すると、インストルメンタルパネル周辺のデザイン自由度が低下して意匠性が低下する虞がある。
【０００５】
本発明は上記に鑑みてなされたものであって、多様な機能を簡単に操作することができ、小型化が可能な操作装置を提供することを目的とする。
【課題を解決するための手段】
【０００６】
本発明の一態様の操作装置によれば、筐体と、前記筐体に対して傾動可能に支持される軸部材と、前記軸部材の一端を環囲し、前記軸部材に回転可能に支持され、押圧されることで前記軸部材と共に傾動する円筒状のダイヤルと、前記軸部材の一端に固定される第１基板と、前記第１基板と共に前記軸部材に固定される支持部材と、前記支持部材に揺動可能に支持され、少なくとも一部が前記ダイヤルから露出し、押圧されることで前記第１基板に設けられているスイッチを押下するボタンと、を有する。
【発明の効果】
【０００７】
本発明の実施形態によれば、多様な機能を簡単に操作することができ、小型化が可能な操作装置が提供される。
【図面の簡単な説明】
【０００８】
【図１】実施形態に係る操作装置を例示する斜視図である。
【図２】実施形態に係る操作装置を例示する分解斜視図である。
【図３】実施形態に係るオーナメントを例示する図である。
【図４】実施形態に係る表示装置を例示する図である。
【図５】実施形態に係る支持部材を例示する図である。
【図６】実施形態に係るオートボタンを例示する図である。
【図７】実施形態に係るセレクトボタンを例示する図である。
【図８】実施形態に係る第１基板を例示する図である。
【図９】実施形態に係る導光部材を例示する図である。
【図１０】実施形態に係る軸部材を例示する図である。
【図１１】実施形態に係るダイヤルを例示する図である。
【図１２】実施形態に係るリング部材を例示する図である。
【図１３】実施形態に係るケースを例示する図である。
【図１４】実施形態に係る第２基板を例示する図である。
【図１５】実施形態に係るクロスロッドを例示する図である。
【図１６】実施形態に係る傾動リングを例示する図である。
【図１７】実施形態に係る軸支持部材を例示する図である。
【図１８】実施形態に係る軸部材の傾動支持構造を例示する部分断面図である。
【図１９】実施形態に係る軸支持部材のガイド溝を例示する図である。
【図２０】実施形態に係るカバーを例示する図である。
【図２１】実施形態に係る操作装置を例示する上面図である。
【図２２】図２１のＡ−Ａ断面図である。
【図２３】図２１のＢ−Ｂ断面図である。
【図２４】図２１のＣ−Ｃ断面のケースが外された状態の斜視図である。
【図２５】実施形態に係る表示装置の表示例を示す図である。
【図２６】図２１のＡ−Ａ断面図であり、ダイヤル及び軸部材が傾動する様子を例示する図である。
【図２７】図２１のＣ−Ｃ断面図であり、ダイヤル及び軸部材が傾動する様子を例示する図である。
【発明を実施するための形態】
【０００９】
以下、図面を参照して発明を実施するための形態について説明する。各図面において、同一構成部分には同一符号を付し、重複した説明を省略する場合がある。
【００１０】
［操作装置の全体構成］
図１は、実施形態に係る操作装置１を例示する斜視図である。
【００１１】
図１に示されるように、操作装置１は、表示装置１２、オートボタン１８、セレクトボタン２０、ダイヤル３０、筐体としてのケース５０を有する。なお、以下において、操作装置１におけるダイヤル３０側を上、ケース５０側を下として説明する場合がある。
【００１２】
表示装置１２は、例えば液晶ディスプレイであり、エアコンの風量、風向き、デフロスタ機能のＯＮ／ＯＦＦ、エアコン設定温度等を表示する。
【００１３】
オートボタン１８は、車内の温度を自動で調整するオートエアコン機能のＯＮ／ＯＦＦに用いられる。また、セレクトボタン２０は、表示装置１２に表示されているエアコンの風量、風向き、エアコン設定温度等の選択に用いられる。
【００１４】
ダイヤル３０は、図１に示される矢印方向に回転可能に設けられている。ダイヤル３０の回転操作に応じて、例えばセレクトボタン２０により選択されたエアコンの風量、風向き、エアコン設定温度等が変更される。
【００１５】
また、ダイヤル３０は、ケース５０に対して図１における上下左右方向に傾動可能に設けられている。ダイヤル３０が図１における上方向に傾けられると、フロントデフロスタ機能がＯＮ／ＯＦＦされ、ダイヤル３０が右方向に傾けられると、エアコンの内気循環がＯＮ／ＯＦＦされる。また、ダイヤル３０が図１における下方向に傾けられると、リアデフロスタ機能がＯＮ／ＯＦＦされ、ダイヤル３０が左方向に傾けられると、エアコン機能がＯＮ／ＯＦＦされる。
【００１６】
ケース５０は、略直方体状の形状を有し、内部に設けられる部品と共にダイヤル３０を回転可能且つ傾動可能に支持する。ケース５０は、それぞれダイヤル３０を傾けることで操作可能な機能を示す機能表示部５０１，５０２，５０３，５０４を有する。
【００１７】
機能表示部５０１，５０２，５０３，５０４は、それぞれダイヤル３０を傾けることで操作可能な機能を示す図柄、各図柄の左又は上に設けられて各機能のＯＮ／ＯＦＦ状態を示すインジケータを有する。機能表示部５０１，５０２，５０３，５０４は、例えばダイヤル３０の操作や、車幅灯の点灯状態に応じて各図柄が点灯又は消灯し、例えばダイヤル３０が傾けられて各機能が始動された時に対応するインジケータが点灯する。
【００１８】
また、ケース５０には、ＦＡＮ−ＯＦＦ（エアコンＯＦＦ）ボタン５２が設けられている。ＦＡＮ−ＯＦＦボタン５２は、押下されることで送風がＯＮ／ＯＦＦされる。さらに、ケース５０は、側面から突出する固定部５０６，５０７，５０８，５０９を有する。ケース５０は、固定部５０６，５０７，５０８，５０９にそれぞれ設けられている固定孔に挿入されるネジ、ボルト等により、例えば自動車のインストルメンタルパネル等に固定される。
【００１９】
図２は、実施形態に係る操作装置１を例示する分解斜視図である。
【００２０】
図２に示されるように、操作装置１は、オーナメント１０、表示装置１２、支持部材１６、オートボタン１８、セレクトボタン２０、第１基板２２、導光部材２４、ダイヤル３０、軸部材３２、リング部材４０を有する。
【００２１】
支持部材１６、第１基板２２及び導光部材２４は、ネジ１４によって軸部材３２の上端（図２における左側端部）に固定される。オーナメント１０は、表示装置１２を間に挟んで支持部材１６に固定される。表示装置１２は、オーナメント１０と支持部材１６との間に挟まれた状態で第１基板２２に接続される。オートボタン１８及びセレクトボタン２０は、それぞれ揺動可能に支持部材１６に支持される。
【００２２】
ダイヤル３０及びリング部材４０は、軸部材３２の上端側を環囲し、軸部材３２に回転可能に支持される。リング部材４０は、複数のネジ４２によりダイヤル３０の下側に固定されている。オーナメント１０、表示装置１２、支持部材１６、オートボタン１８、セレクトボタン２０、第１基板２２及び導光部材２４は、ダイヤル３０に収容される。表示装置１２は、表示面がオーナメント１０を介して外部から見えるように設けられ、オートボタン１８及びセレクトボタン２０は、少なくとも一部がダイヤル３０から露出するように設けられる。
【００２３】
また、操作装置１は、プランジャ３３、傾動ピン３６、傾動リング３８、ケース５０、ＦＡＮ−ＯＦＦボタン５２、第２基板５４、クロスロッド５６、軸支持部材６０、第３基板６２、カバー６４を有する。
【００２４】
プランジャ３３は、押圧ばね３５、押圧ばね３５の両端に取り付けられるプランジャチップ３４を有し、軸部材３２に設けられている貫通孔に挿入される。プランジャチップ３４は、それぞれ押圧ばね３５に押圧されてリング部材４０の内周面に当接する。
【００２５】
傾動ピン３６は、軸部材３２に挿入されて軸部材３２を傾動可能に支持する。傾動リング３８は、軸部材３２を環囲して傾動ピン３６を支持し、軸部材３２と共に軸支持部材６０に傾動可能に支持される。軸部材３２は、傾動ピン３６、傾動リング３８及び軸支持部材６０によって、直交する２方向に傾動可能に支持される。
【００２６】
第２基板５４は、クロスロッド５６側の面に複数のスイッチを有し、ケース５０の内部に固定される。クロスロッド５６は、軸部材３２に固定され、軸部材３２と共に傾動することで、第２基板５４に設けられているスイッチを押下する。
【００２７】
ダイヤル３０が何れかの方向に押されて傾くと、ダイヤル３０及び軸部材３２と共にクロスロッド５６が傾動して第２基板５４のスイッチが押下され、フロント／リアデフロスタ、内気循環、エアコンといった各機能がＯＮ／ＯＦＦされる。
【００２８】
第３基板６２は、電源コネクタを有し、電源に接続されて操作装置１の各部に電力を供給する。第２基板５４、軸支持部材６０、第３基板６２は、ネジ６６によってケース５０とカバー６４との間に固定される。
【００２９】
操作装置１は、上記した構成を有し、ダイヤル３０の傾動操作に応じて、例えばフロント／リアデフロスタ、内気循環、エアコンといった各機能のＯＮ／ＯＦＦを行う。また、操作装置１は、ダイヤル３０の回転操作に応じて、例えば風量、風向き、エアコン設定温度の変更等を行う。このように、操作装置１では、ダイヤル３０を用いて多様な操作を容易に行うことが可能になっている。
【００３０】
［操作装置の各部の構成］
次に、操作装置１の各部の構成について、各部の図面及び図２１から図２４に例示される図面に基づいて説明する。図２１は、操作装置１の上面図であり、図２２は図２１のＡ−Ａ断面図、図２３は図２１のＢ−Ｂ断面図である。また、図２４は、図２１のＣ−Ｃ断面のケース５０が外された状態の斜視図である。
【００３１】
（オーナメント）
図３は、実施形態に係るオーナメント１０を例示する図であり、（Ａ）は上面図、（Ｂ）は側面図、（Ｃ）は底面図、（Ｄ）は（Ａ）のＡ−Ａ断面図である。
【００３２】
図３に示されるように、オーナメント１０は、カバー板１０１、係合片１０３、位置決めピン１０４を有する。
【００３３】
カバー板１０１は、例えば透明な樹脂やガラス等で形成され、透過部１０１ａ、非透過部１０１ｂを有する。透過部１０１ａは、下側に設けられる表示装置１２の表示面に対向する部分に形成される。操作装置１の操作者は、カバー板１０１の透過部１０１ａを介して、表示装置１２の表示面を見ることができる。また、非透過部１０１ｂは、表示装置１２の表示面以外の部分を覆ってダイヤル３０の内部を隠蔽するように、例えば黒色の塗料等が表面に塗布される。
【００３４】
係合片１０３は、カバー板１０１の外周縁の４箇所に、カバー板１０１から下方に突出するように形成され、支持部材１６の側面に設けられている係合爪にそれぞれ係合する。また、位置決めピン１０４は、カバー板１０１の非透過部１０１ｂの４箇所に、カバー板１０１から下方に突出するように形成され、支持部材１６に設けられている位置決め孔にそれぞれ挿入される。
【００３５】
オーナメント１０は、位置決めピン１０４が支持部材１６の位置決め孔に挿入された状態で、係合片１０３が支持部材１６の側面の係合爪に係合することで、表示装置１２を間に挟んで支持部材１６に固定される。
【００３６】
（表示装置）
図４は、実施形態に係る表示装置１２を例示する図であり、（Ａ）は上面図、（Ｂ）は側面図、（Ｃ）は正面図である。
【００３７】
表示装置１２は、例えば液晶ディスプレイであり、図４に示されるように、液晶パネル１２１、複数の端子１２３を有する。
【００３８】
液晶パネル１２１は、例えば、風量、デフロスタ機能のＯＮ／ＯＦＦ、風向き、エアコン設定温度等が表示面１２１ａに表示される。液晶パネル１２１は、表示面１２１ａがオーナメント１０の透過部１０１ａを介して操作装置１の上側から見えるように、オーナメント１０と支持部材１６との間に固定される。
【００３９】
端子１２３は、液晶パネル１２１の対向する２辺にそれぞれ複数設けられている。各端子１２３は、液晶パネル１２１の表示面１２１ａに対して垂直方向に下側に向かって延伸するように設けられている。
【００４０】
（支持部材）
図５は、実施形態に係る支持部材１６を例示する図であり、（Ａ）は上面図、（Ｂ）は側面図、（Ｃ）は底面図である。
【００４１】
図５に示されるように、支持部材１６は、開口１６２、端子孔１６３、位置決め孔１６４を有し、上面側に表示装置１２及びオーナメント１０が設けられる。
【００４２】
開口１６２は、表示装置１２の液晶パネル１２１に対向する位置に設けられている。支持部材１６の下面側に設けられる導光部材２４によって導かれる光は、開口１６２を通って表示装置１２の液晶パネル１２１に照射される。端子孔１６３は、表示装置１２の端子１２３が挿通される。位置決め孔１６４には、オーナメント１０の下面に設けられている位置決めピン１０４が挿入され、オーナメント１０が支持部材１６に対して位置決めされる。
【００４３】
また、支持部材１６は、係合爪１６５、支持突起１６６を有する。係合爪１６５は、図５における本体枠１６１の上側面と下側面に、それぞれ２箇所ずつ設けられている。オーナメント１０は、位置決めピン１０４が位置決め孔１６４に挿入され、係合片１０３が係合爪１６５に係合することで、表示装置１２を間に挟んで支持部材１６に固定される。支持突起１６６は、図５における本体枠１６１の左側面と右側面に、それぞれ２箇所ずつ設けられている。支持突起１６６は、オートボタン１８とセレクトボタン２０をそれぞれ揺動可能に支持する。
【００４４】
さらに、支持部材１６は、下面から開口１６２に突出するように固定板１６７が２箇所に設けられている。固定板１６７は、位置決め孔１６８、ネジ孔１６９を有し、下面が第１基板２２に当接する。各位置決め孔１６８には、軸部材３２に設けられている位置決めピンがそれぞれ挿入される。また、ネジ孔１６８には、支持部材１６を軸部材３２に固定するネジ１４が挿入される。
【００４５】
支持部材１６は、軸部材３２の位置決めピンが固定板１６７の位置決め孔１６８に挿入されて位置決めされた状態で、ネジ孔１６９に挿入されるネジ１４によって軸部材３２に固定される。
【００４６】
（オートボタン）
図６は、実施形態に係るオートボタン１８を例示する図であり、（Ａ）は上面図、（Ｂ）は側面図、（Ｃ）は底面図、（Ｄ）は（Ｃ）のＡ−Ａ断面図である。
【００４７】
図６に示されるように、オートボタン１８は、例えば透明な樹脂材料を含んで形成され、ボタン本体１８１、アーム１８５を有する。
【００４８】
ボタン本体１８１は、上面視で半円状に形成され、文字部１８２、ＯＮ／ＯＦＦ表示部１８３以外の部分は、例えば黒色の塗料等により光を透過しないようになっている。文字部１８２、ＯＮ／ＯＦＦ表示部１８３は、例えばオートエアコン機能がＯＮの状態で、下面側に設けられる第１基板２２のＬＥＤから照射される光を透過して点灯し、オートエアコン機能がＯＮであることを示す。
【００４９】
ボタン本体１８１の下面には、基板係合爪１８７、スイッチ押下突起１８８が設けられている。基板係合爪１８７は、ボタン本体１８１の外周縁から下方に突出し、オートボタン１８の下側に設けられる第１基板２２の外周縁に係合する。スイッチ押下突起１８８は、オートボタン１８の下側に設けられる第１基板２２に実装されているスイッチに対応する位置に設けられ、第１基板２２に向かって突出する。
【００５０】
アーム１８５は、図６（Ａ），（Ｃ）に示されるように、ボタン本体１８１の左右端から円弧状に延出し、端部に支持孔１８６が設けられている。オートボタン１８は、アーム１８５の支持孔１８６に支持突起１６６が挿入されるように支持部材１６の側面に取り付けられ、支持孔１８６を中心に図６（Ｂ）の矢印方向に揺動可能に支持される。
【００５１】
オートボタン１８は、上記した構成を有し、押圧されると下面側に設けられる第１基板２２に向かって変位し、スイッチ押下突起１８８が第１基板２２に設けられているスイッチを押下する。
【００５２】
（セレクトボタン）
図７は、実施形態に係るセレクトボタン２０を例示する図であり、（Ａ）は上面図、（Ｂ）は側面図、（Ｃ）は底面図、（Ｄ）は（Ｃ）のＡ−Ａ断面図である。
【００５３】
図７に示されるように、セレクトボタン２０は、例えば透明な樹脂材料を含んで形成され、ボタン本体２０１、アーム２０５を有する。
【００５４】
ボタン本体２０１は、上面視で半円状に形成され、文字部２０２以外の部分は、例えば黒色の塗料等により光を透過しないようになっている。文字部２０２は、例えばセレクトボタン２０が押下されたときに、下面側に設けられる第１基板２２のＬＥＤから照射される光を透過して点灯し、設定を変更する機能を選択可能であることを示す。
【００５５】
ボタン本体２０１の下面には、基板係合爪２０７、スイッチ押下突起２０８が設けられている。基板係合爪２０７は、ボタン本体２０１の外周縁から下方に突出し、セレクトボタン２０の下側に設けられる第１基板２２の外周縁に係合する。スイッチ押下突起２０８は、セレクトボタン２０の下側に設けられる第１基板２２に実装されているスイッチに対応する位置に設けられ、第１基板２２に向かって突出する。
【００５６】
アーム２０５は、図７（Ａ），（Ｃ）に示されるように、ボタン本体２０１の左右端から円弧状に延出し、端部に支持孔２０６が設けられている。セレクトボタン２０は、アーム２０５の支持孔２０６に支持突起１６６が挿入されるように支持部材１６の側面に取り付けられ、支持孔２０６を中心に図７（Ｂ）の矢印方向に揺動可能に支持される。
【００５７】
セレクトボタン２０は、上記した構成を有し、押圧されると下面側に設けられる第１基板２２に向かって変位し、スイッチ押下突起１８８が第１基板２２に設けられているスイッチを押下する。
【００５８】
（第１基板）
図８は、実施形態に係る第１基板２２を例示する図であり、（Ａ）は上面図、（Ｂ）は側面図、（Ｃ）は底面図である。
【００５９】
図８に示されるように、第１基板２２の上面側（表示装置１２側）には、コネクタ２２１、スイッチ２３０，２３１、ＬＥＤ２２２，２２３，２２４，２２５が実装されている。第１基板２２の下面側（軸部材３２側）には、ＬＥＤ２２６，２２７，２２８、回転検出スイッチ２３３、コネクタ２３９が実装されている。また、第１基板２２は、位置決め孔２３５、開口２３７を有する。
【００６０】
コネクタ２２１は、２箇所に設けられてそれぞれ表示装置１２の端子１２３に接続される。ＬＥＤ２２２は、発光してオートボタン１８の文字部１８２を点灯させる。また、ＬＥＤ２２５は、発光してセレクトボタン２０の文字部２０２を点灯させる。
【００６１】
第１基板２２の上面側に実装されているＬＥＤ２２３，２２４、第１基板２２の下面側に実装されているＬＥＤ２２７，２２８は、表示装置１２に光を照射するバックライトとして機能する。ＬＥＤ２２３，２２４は、第１基板２２の上面側に設けられる表示装置１２に直接的に光を照射する。また、ＬＥＤ２２７，２２８は、照射光を第１基板２２の上面側に導く導光部材２４を介して表示装置１２に光を照射する光源である。
【００６２】
位置決め孔２３５は、第１基板２２の２箇所に設けられ、軸部材３２から第１基板２２に向かって上方に突出する位置決めピンが挿入される。第１基板２２は、位置決め孔２３５に軸部材３２の位置決めピンが挿入された状態で、ネジ１４によって支持部材１６と共に軸部材３２の上端に固定される。
【００６３】
開口２３７には、ＬＥＤ２２７，２２８からの照射光を第１基板２２の上面側に導く導光部材２４の照射部とネジ１４とが挿入される。
【００６４】
回転検出スイッチ２３３は、例えば２ｗａｙスイッチであり、ダイヤル３０の内部に周方向に等間隔に設けられている突起に押圧されることで作動し、ダイヤル３０の回転を検出する。回転検出スイッチ２３３が第１基板２２の下面側に設けられることで、第１基板２２の上面側の実装スペース確保及び操作装置１の小型化が可能になっている。
【００６５】
（導光部材）
図９は、実施形態に係る導光部材２４を例示する図であり、（Ａ）は背面図、（Ｂ）は上面図、（Ｃ）は側面図、（Ｄ）は（Ｂ）のＡ−Ａ断面図である。
【００６６】
導光部材２４は、例えば透明な樹脂等で形成され、図９に示されるように、第１導光部２４１、第２導光部２４２、第３導光部２４３、位置決め孔２４５、ネジ孔２４６を有する。導光部材２４は、位置決め孔２４５に軸部材３２の位置決めピンが挿入された状態で、ネジ１４によって第１基板２２と軸部材３２との間に固定される。
【００６７】
第１導光部２４１は、受光部２４１ａ、上面に鋸歯状の格子が形成された照射部２４１ｂを有する。第１導光部２４１は、図２２に示されるように、受光部２４１ａが第１基板２２の下面に設けられているＬＥＤ２２７に対向し、照射部２４１ｂが第１基板２２の開口２３７から表示装置１２側に露出するように形成されている。第１導光部２４１は、このような構成により、受光部２４１ａで第１基板２２のＬＥＤ２２７からの光を受光し、受光した光を照射部２４１ｂに導き、照射部２４１ｂから表示装置１２に光を拡散して照射する。
【００６８】
また、第２導光部２４２は、図９に示されるように、第１導光部２４１と同様の形状を有し、受光部２４２ａ、上面に鋸歯状の格子が形成された照射部２４２ｂを有する。第２導光部２４２は、図２２に示されるように、受光部２４２ａが第１基板２２の下面に設けられているＬＥＤ２２８に対向し、照射部２４２ｂが第１基板２２の開口２３７から表示装置１２側に露出するように形成されている。第２導光部２４２は、このような構成により、受光部２４２ａで第１基板２２のＬＥＤ２２８からの光を受光し、受光↓光を照射部２４２ｂに導き、照射部２４２ｂから表示装置１２に光を拡散して照射する。
【００６９】
導光部材２４は、上記した構成により、表示装置１２と第１基板２２との間隔が十分に設けられない場合であっても、第１基板２２の下面側に設けられている光源としてのＬＥＤ２２７，２２８からの光を導いて表示装置１２の全体に光を照射できる。したがって、第１基板２２の下面側にＬＥＤ２２７，２２８を配置し、導光部材２４を用いることで、表示装置１２と第１基板２２との間隔を可能な範囲で狭くして操作装置１の小型化を図ることが可能になる。
【００７０】
第３導光部２４３は、図９に示されるように、受光部２４３ａ、照射部２４３ｂを有する。第３導光部２４３は、図２１に示されるように、受光部２４３ａが第１基板２２の下面側に設けられているＬＥＤ２２６に対向し、照射部２４３ｂが第１基板２２の上面側に突出するように形成されている。第３導光部２４３は、このような構成により、受光部２４３ａで第１基板２２のＬＥＤ２２６からの光を受光し、受光した光を照射部２４３ｂに導き、照射部２４３ｂがオートボタン１８のＯＮ／ＯＦＦ表示部１８３に光を照射する。
【００７１】
（軸部材）
図１０は、実施形態に係る軸部材３２を例示する図であり、（Ａ）は上面図、（Ｂ）は側面図、（Ｃ）は底面図、（Ｄ）は正面図、（Ｅ）は（Ａ）のＡ−Ａ断面図である。
【００７２】
図１０に示されるように、軸部材３２は、位置決めピン３２１、ネジ孔３２２、ダイヤル支持部３２３、傾動軸３２６を有する。
【００７３】
位置決めピン３２１は、ダイヤル支持部３２３から上方に突出し、支持部材１６の位置決め孔１６８、第１基板２２の位置決め孔２３５及び導光部材２４の位置決め孔２４５に挿入され、支持部材１６、第１基板２２及び導光部材２４を位置決めする。ネジ孔３２２は、支持部材１６のネジ孔１６９、第１基板２２の開口２３７及び導光部材２４のネジ孔２４６に挿入されるネジ１４に螺合する。支持部材１６、第１基板２２及び導光部材２４は、軸部材３２の位置決めピン３２１によって位置決めされた状態で、ネジ孔３２２に螺合されるネジ１４によって軸部材３２の上端に重ねて固定される。
【００７４】
ダイヤル支持部３２３は、円筒状の形状を有し、ダイヤル３０を回転可能に支持する。ダイヤル支持部３２３は、外周面に上フランジ部３２４ａ及び下フランジ部３２４ｂが形成され、上フランジ部３２４ａと下フランジ部３２４ｂとの間に、軸方向に直交する貫通孔３２５が設けられている。
【００７５】
また、ダイヤル支持部３２３の下端面には、ネジ孔３３１、下方に突出する位置決めピン３３２がそれぞれ２箇所ずつ設けられている。ダイヤル支持部３２３の下端面には、クロスロッド５６が、位置決めピン３３２によって位置決めされた状態で、ネジ孔３３１に挿入されるネジ５８によって固定される。
【００７６】
傾動軸３２６は、ダイヤル支持部３２３側が円柱状、ダイヤル支持部３２３とは反対側が四角柱状の形状を有する。傾動軸３２６の円柱状部分には、軸部材３２の軸方向に直交する方向に貫通する傾動支持孔３２８が設けられている。
【００７７】
（ダイヤル）
図１１は、実施形態に係るダイヤル３０を例示する図であり、（Ａ）は上面図、（Ｂ）は側面図、（Ｃ）は底面図、（Ｄ）は（Ａ）のＡ−Ａ断面図である。
【００７８】
図１１に示されるように、ダイヤル３０は、ダイヤル本体３０１、連結部３０５を有する。
【００７９】
ダイヤル本体３０１は、略円筒状の形状を有し、図２２及び図２４に示されるように、軸部材３２の上端（位置決めピン３２１側）を環囲し、底面３０３が軸部材３２のダイヤル支持部３２３の上フランジ部３２４ａの上面に当接するように設けられる。
【００８０】
また、ダイヤル本体３０１には、図１１（Ａ）及び（Ｄ）に示されるように、底面３０３の内周縁から上方に突出する複数の突起３０４が、周方向において等間隔に設けられている。突起３０４は、図２３に示されるように、ダイヤル３０が何れかの方向に回転したときに、第１基板２２の下面側に設けられている回転検出スイッチ２３３を押して作動させる。回転検出スイッチ２３３は、ダイヤル本体３０１に設けられている複数の突起３０４によって押された方向及び回数に基づいて、ダイヤル３０の回転方向及び回転量を検出する。
【００８１】
連結部３０５は、ダイヤル本体３０１の底面３０３から下方に環状に突出し、軸部材３２のダイヤル支持部３２３を環囲する。連結部３０５は、複数のネジ孔３０６を有し、ネジ４２によってリング部材４０が固定される。
【００８２】
（リング部材）
図１２は、実施形態に係るリング部材４０を例示する図であり、（Ａ）は斜視図、（Ｂ）は上面図、（Ｃ）は側面図、（Ｄ）は底面図である。
【００８３】
図１２に示されるように、リング部材４０は、円環部４０１、フランジ部４０３、底部４０５を有し、軸部材３２のダイヤル支持部３２３を環囲してダイヤル３０の連結部３０５に固定される。
【００８４】
円環部４０１は、軸部材３２のダイヤル支持部３２３を環囲し、ダイヤル３０の連結部３０５に挿入される。円環部４０１の内周面４０２は、周方向に一定間隔で起伏する凹凸面となっている。
【００８５】
フランジ部４０３は、円環部４０１の外側に環状に突出し、複数のネジ孔４０４を有する。フランジ部４０３は、上面がダイヤル３０の連結部３０５の下面に当接し、ネジ４２によって、ダイヤル３０の連結部３０５に固定される。
【００８６】
底部４０５は、円環部４０１の下端から内側に突出し、軸部材３２のダイヤル支持部３２３の下フランジ部３２４ｂの下面に当接する。
【００８７】
リング部材４０は、図２２及び図２４に示されるように、円環部４０１が軸部材３２のダイヤル支持部３２３を環囲してダイヤル３０の連結部３０５に挿入され、フランジ部４０３のネジ孔４０４に挿入されるネジ４２によってダイヤル３０に固定される。
【００８８】
ここで、図２２及び図２４に示されるように、ダイヤル３０とリング部材４０とは、ダイヤル３０の底面３０３が軸部材３２の上フランジ部３２４ａの上面に当接し、リング部材４０の底部４０５が軸部材３２の下フランジ部３２４ｂの下面に当接するように固定される。このように、ダイヤル３０とリング部材４０とは、軸部材３２のダイヤル支持部３２３の上フランジ部３２４ａ及び下フランジ部３２４ｂを間に挟んで固定され、軸部材３２に回転可能に支持される。
【００８９】
ダイヤル３０が回転操作されると、ダイヤル本体３０１の底面が上フランジ部３２４ａに摺動し、リング部材４０の底部４０５が下フランジ部３２４ｂに摺動するように回転する。
【００９０】
（プランジャ）
図２２に示されるように、軸部材３２のダイヤル支持部３２３に設けられている貫通孔３２５には、プランジャ３３が挿入されている。プランジャ３３のプランジャチップ３４は、押圧ばね３５によりリング部材４０に向かって押圧され、先端部分がリング部材４０の内周面４０２に当接する。ダイヤル３０と共にリング部材４０が回転すると、プランジャチップ３４が当接するリング部材４０の内周面４０２に形成されている凹凸によりクリック感が生じる。
【００９１】
プランジャ３３は、軸部材３２の貫通孔３２５に挿入され、押圧ばね３５が両方向にプランジャチップ３４を押圧することで、貫通孔３２５内で何れかの方向に偏ることがない。したがって、軸部材３２とダイヤル３０及びリング部材４０との間隔が均一に保たれ、軸部材３２に固定されるオーナメント１０、オートボタン１８、セレクトボタン２０、表示装置１２等と、ダイヤル３０との間隔が均一に保たれることとなる。
【００９２】
（ケース）
図１３は、実施形態に係るケース５０を例示する図であり、（Ａ）は上面図、（Ｂ）は側面図、（Ｃ）は底面図である。
【００９３】
図１３に示されるように、ケース５０は、直方体の箱型状に形成され、機能表示部５０１，５０２，５０３，５０４、固定部５０６，５０７，５０８，５０９、ダイヤル開口５１０、ボタン開口５１１、ネジ孔５１４、係合片５１５を有する。
【００９４】
機能表示部５０１，５０２，５０３，５０４は、ダイヤル３０を用いて操作可能な機能や各機能のＯＮ／ＯＦＦ状態を表示する。機能表示部５０１，５０２，５０３，５０４に設けられている図柄やインジケータ部分は、例えば透明な樹脂等で形成され、背後に設けられて発光するＬＥＤの光を透過して点灯する。
【００９５】
固定部５０６，５０７，５０８，５０９は、それぞれ固定孔を有し、ケース５０の各側面から外側に突出するように形成されている。ケース５０は、固定部５０６，５０７，５０８，５０９の各固定孔に挿入されるネジ、ボルト等により、例えば自動車のインストルメンタルパネル等に固定される。
【００９６】
ダイヤル開口５１０は、ケース５０の上面に形成され、ダイヤル３０の連結部３０５が挿入される。ボタン開口５１１は、ケース５０の上面に形成され、ＦＡＮ−ＯＦＦボタン５２が設けられる。
【００９７】
ネジ孔５１４は、ダイヤル開口５１０の内周縁に沿って下面側の４箇所に形成されている。ネジ孔５１４に挿入されるネジ６６によって、第２基板５４、軸支持部材６０、第３基板６２及びカバー６４がケース５０に固定される。
【００９８】
係合片５１５は、対向する２つの側面の下部にそれぞれ２箇所ずつ設けられている。係合片５１５は、軸支持部材６０の側面に設けられている係合爪に係合し、軸支持部材６０を固定する。
【００９９】
（第２基板）
図１４は、実施形態に係る第２基板５４を例示する図であり、（Ａ）は上面図、（Ｂ）は側面図、（Ｃ）は底面図である。
【０１００】
図１４に示されるように、第２基板５４は、上面側にＬＥＤ５４１，５４２，５４３，５４４，５４５，５４７、スイッチ５４６が実装され、下面側にスイッチ５５１、コネクタ５５２が実装されている。また、第２基板５４は、開口５４８、ネジ孔５４９、支持溝５５０を有する。
【０１０１】
ＬＥＤ５４１，５４２，５４３，５４４は、それぞれケース５０の機能表示部５０１，５０２，５０３，５０４に対向する位置に設けられ、それぞれ光を照射して機能表示部５０１，５０２，５０３，５０４を点灯させる。
【０１０２】
ＬＥＤ５４５は、ＦＡＮ−ＯＦＦボタン５２に対向する位置に設けられ、光を照射してＦＡＮ−ＯＦＦボタン５２を点灯させる。ＬＥＤ５４７は、開口５４８の周囲に設けられ、ダイヤル３０の連結部３０５とケース５０との間に光を照射し、ダイヤル本体３０１の周囲を照らす。
【０１０３】
スイッチ５４６は、第２基板５４の上面側であって、ＦＡＮ−ＯＦＦボタン５２に対向する位置に設けられ、ＦＡＮ−ＯＦＦボタン５２が押下されることで送風機能をＯＮ／ＯＦＦする。
【０１０４】
スイッチ５５１は、第２基板５４の下面側の４箇所に設けられ、軸部材３２と共に傾動するクロスロッド５６によって押下されて作動する。
【０１０５】
開口５４８は、第２基板５４の中央に設けられ、クロスロッド５６の支柱の上端部が挿入される。ネジ孔５４９は、軸支持部材６０、第３基板６２、カバー６４を貫通するネジ６６が挿入される。支持溝５５０は、第２基板５４の四隅に設けられ、軸支持部材６０の四隅に設けられている基板支持柱に係合する。
【０１０６】
（クロスロッド）
図１５は、実施形態に係るクロスロッド５６を例示する図であり、（Ａ）は上面図、（Ｂ）は側面図、（Ｃ）は底面図である。
【０１０７】
図１５に示されるように、クロスロッド５６は、支柱５６１、支柱５６１から延出する４本のロッド５６６を有し、軸部材３２に固定される。
【０１０８】
支柱５６１は、円筒状の形状を有し、上面に中央孔５６２、ネジ孔５６３、位置決め孔５６４が形成されている。中央孔５６２は、軸部材３２の傾動軸３２６が挿入される。位置決め孔５６４は、軸部材３２のダイヤル支持部３２３の下面に設けられている位置決めピン３３２が挿入される。ネジ孔５６３は、軸部材３２のネジ孔３２２に螺合するネジ５８が挿入される。
【０１０９】
クロスロッド５６は、軸部材３２の位置決めピン３３２が位置決め孔５６４に挿入されて位置決めされた状態で、ネジ孔５６４に挿入されるネジ５８によって、軸部材３２のダイヤル支持部３２３の下面に固定される。
【０１１０】
ロッド５６６は、支柱５６１からの突出方向が、軸部材３２の傾動方向に沿うように設けられている。各ロッド５６６は、上方に突出するスイッチ押下突起５６７が、支柱５６１とは反対側の端部に設けられている。
【０１１１】
図２２に示されるように、各ロッド５６６のスイッチ押下突起５６７は、第２基板５４の下面側に実装されているスイッチ５５１の何れかに対向する位置に設けられている。ダイヤル３０が何れかの方向に押されて傾けられると、ダイヤル３０に伴って軸部材３２及びクロスロッド５６が傾き、何れかのスイッチ押下突起５６７が、対向する第２基板５４のスイッチ５５１を押して作動させる。
【０１１２】
（傾動リング）
図１６は、実施形態に係る傾動リング３８を例示する図であり、（Ａ）は斜視図、（Ｂ）は上面図、（Ｃ）は側面図、（Ｄ）は底面図である。
【０１１３】
図１６に示されるように、傾動リング３８は、中央孔３８１、傾動ピン孔３８２、傾動支持突起３８３を有する。
【０１１４】
中央孔３８１は、軸部材３２の傾動軸３２６が挿入される。傾動ピン孔３８２は、傾動ピン３６が挿入される。傾動ピン３６は、傾動リング３８の傾動ピン孔３８２及び軸部材３２の傾動支持孔３２８を貫通し、軸部材３２を傾動可能に支持する。
【０１１５】
傾動支持突起３８３は、傾動ピン３６の挿入方向に対して直交する方向に沿って外周面から突出するように２箇所に設けられている。傾動リング３８は、傾動支持突起３８３が軸支持部材６０に支持されることで、傾動ピン３６による傾動方向とは直交する方向に傾動可能に支持される。
【０１１６】
（軸支持部材）
図１７は、実施形態に係る軸支持部材６０を例示する図であり、（Ａ）は上面図、（Ｂ）は側面図、（Ｃ）は底面図、（Ｄ）は（Ａ）のＡ−Ａ断面図である。
【０１１７】
図１７に示されるように、軸支持部材６０は、支持板６００、軸孔６０１、傾動支持板６０２、支柱６０３、係合爪６０５、基板支持柱６０７、位置決めピン６０９を有し、ケース５０の内部に固定される。
【０１１８】
支持板６００は、上面視で矩形状の形状を有する。軸孔６０１は、中空の四角柱状の形状を有し、支持板６００の中央部から下方に突出するように設けられている。軸孔６０１は、底面にガイド溝６１０を有し、軸部材３２の傾動軸３２６の下端部が挿入される。
【０１１９】
傾動支持板６０２は、軸孔６０１を間に挟んで２箇所に設けられ、傾動リング３８の傾動支持突起３８３が支持孔６１２に挿入され、傾動リング３８と共に軸部材３２を傾動可能に支持する。
【０１２０】
支柱６０３は、支持板６００を貫通するように設けられ、中央にネジ孔が形成されている。支柱６０３は、上端面が第２基板５４の下面に当接し、下端面が第３基板６２の上面に当接し、第２基板５４及び第３基板６２との間に空間を形成すると共に、第２基板５４及び第３基板６２を支持する。
【０１２１】
係合爪６０５は、外周面から突出し、ケース５０の側面に設けられている係合片５１５に係合する。基板支持柱６０７は、支持板６００の四隅から上方に突出し、上端部が第２基板５４の四隅に設けられている支持溝５５０に係合し、第２基板５４を支持する。位置決めピン６０９は、支持板６００から下方に突出し、第３基板６２及びカバー６４の位置決め孔に挿入される。
【０１２２】
軸支持部材６０は、上記した構成を有し、ケース５０の内部に収容され、ケース５０の係合片５１５が係合爪６０５に係合し、支柱６０３のネジ孔に挿入されるネジ６６によって、第２基板５４、第３基板６２及びカバー６４と共にケース５０に固定される。
【０１２３】
図１８は、実施形態に係る軸部材３２の傾動支持構造を例示する部分断面図である。
【０１２４】
図１８に示されるように、軸部材３２は、傾動リング３８に軸支される傾動ピン３６によって、矢印Ａ方向に傾動可能に支持される。また、軸部材３２は、傾動リング３８の傾動支持突起３８３が軸支持部材６０の支持孔６１２に挿入されて回転可能に支持されることで、矢印Ｂ方向に傾動可能に支持される。
【０１２５】
上記した構成により、軸部材３２は、傾動リング３８及び軸支持部材６０によって、直交する２方向に傾動可能に支持される。
【０１２６】
また、図１９に示されるように、軸支持部材６０の軸孔６０１の底面には、軸部材３２の傾動方向に沿う十字形状のガイド溝６１０が設けられている。軸部材３２は、傾動軸３２６の下端がガイド溝６１０に挿入され、図１９において破線で示されるように下端がガイド溝６１０に沿って傾動する。
【０１２７】
軸部材３２は、ガイド溝６１０によって、傾動リング３８及び軸支持部材６０に傾動可能に支持されている方向とは異なる方向への倒れ込みが防止されている。操作装置１では、このような傾動支持構造により、傾動ピン３６、傾動リング３８及び軸支持部材６０への負荷が低減され、スムーズな操作が可能になっている。
【０１２８】
（カバー）
図２０は、実施形態に係るカバー６４を例示する図であり、（Ａ）は上面図、（Ｂ）は側面図、（Ｃ）は底面図、（Ｄ）は（Ａ）のＡ−Ａ断面図である。
【０１２９】
図２０に示されるように、カバー６４は、底板６４１、側壁６４２、ネジ孔６４４、位置決め孔６４５を有する。
【０１３０】
底板６４１は、上面視で８角形の形状を有する。側壁６４２は、底板６４１の外周縁に沿って底板６４１から上方に突出するように設けられ、上端面が軸支持部材６０の下面に当接する。ネジ孔６４４は、ネジ６６が挿入される。位置決め孔６４５は、軸支持部材６０の位置決めピン６０９が挿入される。
【０１３１】
カバー６４は、ケース５０の下側を覆い、軸支持部材６０の位置決めピン６０９が位置決め孔６４５に挿入された状態で、ネジ孔６４４に挿入されるネジ６６によって、第２基板５４、軸支持部材６０及び第３基板６２と共にケース５０に固定される。
【０１３２】
［操作装置の動作］
（セレクトボタン押下及びダイヤル回転）
図２５は、実施形態に係る表示装置１２の表示例を示す図である。
【０１３３】
表示装置１２は、例えばダイヤル３０が傾動又は回転操作されたり、オートボタン１８が押下された時や、車幅灯が点灯された時に点灯して各種情報を表示する。図２５に示されるように、表示装置１２は、温度表示領域１２２ａ、風量表示領域１２２ｂ、風向表示領域１２２ｃを有する。
【０１３４】
温度表示領域１２２ａは、エアコンの設定温度を表示する。風量表示領域１２２ｂは、設定されている風量を表示する。風向表示領域１２２ｃは、設定されている風向きを表示する。また、風向表示領域１２２ｃには、デフロスタ機能を示す図柄が表示される。
【０１３５】
操作装置１では、セレクトボタン２０が押されると、図２５（Ａ）に示されるように、温度表示領域１２２ａに選択枠１２３ａが表示され、エアコンの設定温度を変更可能であることが示される。この状態でダイヤル３０が回転操作されると、エアコンの設定温度が変更され、温度表示領域１２２ａに変更されたエアコンの設定温度が表示される。
【０１３６】
例えば、図２５（Ａ）に示される状態でダイヤル３０が右方向に回転操作されると、回転検出スイッチ２３３によって検出されるダイヤル３０の回転量に応じてエアコンの設定温度が上げられる。また、ダイヤル３０が左方向に回転操作されると、回転検出スイッチ２３３によって検出されるダイヤル３０の回転量に応じてエアコンの設定温度が下げられる。
【０１３７】
また、続けてセレクトボタン２０が押されると、図２５（Ｂ）に示されるように、温度表示領域１２２ａに表示されていた選択枠１２３ａが消え、風量表示領域１２２ｂに選択枠１２３ｂが表示される。この状態でダイヤル３０が回転操作されると、風量が変更され、風量表示領域１２２ｂに変更された風量が表示される。
【０１３８】
例えば、図２５（Ｂ）に示される状態でダイヤル３０が右方向に回転操作されると、回転検出スイッチ２３３によって検出されるダイヤル３０の回転量に応じて風量が上げられる。また、ダイヤル３０が左方向に回転操作されると、回転検出スイッチ２３３によって検出されるダイヤル３０の回転量に応じて風量が下げられる。
【０１３９】
さらに、続けてセレクトボタン２０が押されると、図２５（Ｃ）に示されるように、風量表示領域１２２ｂに表示されていた選択枠１２３ｂが消え、風向表示領域１２２ｃに選択枠１２３ｃが表示され、エアコンの風向きを変更可能であることが示される。この状態でダイヤル３０が回転操作されると、エアコンの風向きが変更され、風向表示領域１２２ｃに変更されたエアコンの風向が表示される。
【０１４０】
例えば、図２５（Ｃ）に示される状態でダイヤル３０が何れかの方向に回転操作されると、回転検出スイッチ２３３によって検出されるダイヤル３０の回転方向に応じて風向きが「上」、「下」、「上下」の何れかに変更される。
【０１４１】
風向表示領域１２２ｃに選択枠１２３ｃが表示されている状態でセレクトボタン２０が押されると、風向表示領域１２２ｃに表示されていた選択枠１２３ｃが消え、再び温度表示領域１２２ａに選択枠１２３ａが表示され、エアコン設定温度が変更可能になる。
【０１４２】
このように、操作者は、セレクトボタン２０を押して設定を変更したい機能を選択し、ダイヤル３０を回すという簡単な操作で、選択した機能の設定を変更できる。
【０１４３】
（ダイヤル傾動）
次に、操作装置１においてダイヤル３０が押されて傾けられたときの動作について説明する。図２６は、図２１のＡ−Ａ断面図であり、ダイヤル３０及び軸部材３２が傾動する様子を例示する図である。
【０１４４】
図２６（Ａ）に示されるように、ダイヤル３０及び軸部材３２が中立している状態から、ダイヤル３０が矢印方向に押されると、図２６（Ｂ）に示されるように、ダイヤル３０及び軸部材３２は、傾動ピン３６を中心に右方向に傾動する。
【０１４５】
図２６（Ｂ）に示されるようにダイヤル３０及び軸部材３２が右方向に傾けられると、軸部材３２に固定されているクロスロッド５６も同じ方向に傾けられる。このとき、クロスロッド５６のスイッチ押下突起５６７ａが、第２基板５４に向かって変位し、ケース５０に固定されている第２基板５４の下面側に設けられているスイッチ５５１ａを押下する。
【０１４６】
操作装置１では、このようにダイヤル３０が図２１における右方向に傾けられると、クロスロッド５６のスイッチ押下突起５６７ａによって第２基板５４のスイッチ５５１ａが押されて作動し、エアコンの内気循環がＯＮ／ＯＦＦされる。
【０１４７】
また、図２６（Ｂ）とは逆方向にダイヤル３０及び軸部材３２が傾けられると、クロスロッド５６のスイッチ押下突起５６７ｂが、第２基板５４に向かって変位し、ケース５０に固定されている第２基板５４の下面側に設けられているスイッチ５５１ｂを押下する。
【０１４８】
操作装置１では、このようにダイヤル３０が図２１における左方向に傾けられると、クロスロッド５６のスイッチ押下突起５６７ｂによって第２基板５４のスイッチ５５１ｂが押されて作動し、エアコン機能がＯＮ／ＯＦＦされる。
【０１４９】
また、図２７は、図２１のＣ−Ｃ断面図であり、ダイヤル３０及び軸部材３２が傾動する様子を例示する図である。
【０１５０】
図２７（Ａ）に示されるように、ダイヤル３０及び軸部材３２が中立している状態から、ダイヤル３０が矢印方向に押されると、図２７（Ｂ）に示されるように、ダイヤル３０及び軸部材３２は、傾動リング３８の傾動支持突起３８３を中心に上方向に傾動する。
【０１５１】
図２７（Ｂ）に示されるようにダイヤル３０及び軸部材３２が上方向に傾けられると、軸部材３２に固定されているクロスロッド５６も同じ方向に傾けられる。このとき、クロスロッド５６のスイッチ押下突起５６７ｃが、第２基板５４に向かって変位し、ケース５０に固定されている第２基板５４の下面側に設けられているスイッチ５５１ａを押下する。
【０１５２】
操作装置１では、このようにダイヤル３０が図２１における上方向に傾けられると、クロスロッド５６のスイッチ押下突起５６７ｃによって第２基板５４のスイッチ５５１ｃが押されて作動し、フロントデフロスタ機能がＯＮ／ＯＦＦされる。
【０１５３】
また、図２７（Ｂ）とは逆方向にダイヤル３０及び軸部材３２が傾けられると、クロスロッド５６のスイッチ押下突起５６７ｄが、第２基板５４に向かって変位し、ケース５０に固定されている第２基板５４の下面側に設けられているスイッチ５５１ｄを押下する。
【０１５４】
操作装置１では、このようにダイヤル３０が図２１における下方向に傾けられると、クロスロッド５６のスイッチ押下突起５６７ｄによって第２基板５４のスイッチ５５１ｄが押されて作動し、リアデフロスタ機能がＯＮ／ＯＦＦされる。
【０１５５】
なお、操作装置１には、ダイヤル３０の操作に応じて、ダイヤル３０を振動させる振動手段や、音声を出力する音声出力手段といったフィードバック手段が設けられてもよい。このようなフィードバック手段が設けられることで、操作者は、操作装置１を直視せずにブラインド操作することが可能になる。
【０１５６】
以上で説明したように、本実施形態に係る操作装置１によれば、ダイヤル３０を回す又は傾けるといった簡単な操作で、各種機能のＯＮ／ＯＦＦ、各機能の設定変更といった様々な操作を容易に行うことができる。また、操作装置１は、ダイヤル３０を用いて多様な操作を行うことが可能であり、機能ごとにスイッチ等を設ける必要がないため小型化が可能であり、例えば操作装置１が設けられるインストルメンタルパネル周辺のデザイン自由度が向上する。
【０１５７】
以上、実施形態に係る操作装置について説明したが、本発明は上記実施形態に限定されるものではなく、本発明の範囲内で種々の変形及び改良が可能である。
【０１５８】
例えば、上記した実施形態では、操作装置１を用いてエアコン機能、デフロスタ機能を操作する例について説明したが、例えばオーディオやカーナビ等を操作できるように構成されてもよい。この場合、表示装置１２は、操作装置１を用いて操作する機能に応じて、上記した実施形態とは異なる情報を表示してもよい。さらに、操作装置１の用途は、自動車に限られず、例えば電車、建設機械、船舶、航空機等に設けられてもよく、電子レンジや冷蔵庫といった家電製品、ゲーム機等に設けられてもよい。
【符号の説明】
【０１５９】
１２  表示装置
１６  支持部材
１８  オートボタン（ボタン）
２０  セレクトボタン（ボタン）
２２  第１基板
２４  導光部材
３０  ダイヤル
３２  軸部材
３３  プランジャ
３４  プランジャチップ
３５  押圧ばね（押圧手段）
３８  傾動リング（傾動支持部材）
４０  リング部材
５０  ケース（筐体）
５４  第２基板
５６  クロスロッド（傾動押下部材）
６０  軸支持部材
２２７  ＬＥＤ（光源）
２２８  ＬＥＤ（光源）
２３３  回転検出スイッチ（回転検出手段）
３０１  ダイヤル本体
３２３  ダイヤル支持部
３２４ａ  上フランジ部（フランジ部）
３２４ｂ  下フランジ部（フランジ部）
３２５  貫通孔
６１０  ガイド溝
【図１】
0006349224.tif 000002
【図２】
0006349224.tif 000003
【図３】
0006349224.tif 000004
【図４】
0006349224.tif 000005
【図５】
0006349224.tif 000006
【図６】
0006349224.tif 000007
【図７】
0006349224.tif 000008
【図８】
0006349224.tif 000009
【図９】
0006349224.tif 000010
【図１０】
0006349224.tif 000011
【図１１】
0006349224.tif 000012
【図１２】
0006349224.tif 000013
【図１３】
0006349224.tif 000014
【図１４】
0006349224.tif 000015
【図１５】
0006349224.tif 000016
【図１６】
0006349224.tif 000017
【図１７】
0006349224.tif 000018
【図１８】
0006349224.tif 000019
【図１９】
0006349224.tif 000020
【図２０】
0006349224.tif 000021
【図２１】
0006349224.tif 000022
【図２２】
0006349224.tif 000023
【図２３】
0006349224.tif 000024
【図２４】
0006349224.tif 000025
【図２５】
0006349224.tif 000026
【図２６】
0006349224.tif 000027
【図２７】
0006349224.tif 000028